(57)【要約】【課題】本発明は、出来高、実施高を日々入力することで、即座に日毎及び累積した収支内容を明確に把握できる工事原価管理システムを提供する。【解決手段】本発明の工事原価管理システムは、原価管理プログラムに基づいて、工事に関連する日々の出来高、実施高を入力手段４にて入力する過程と、入力された日々の出来高、実施高を基に日々の収支及び工事開始からの累計された出来高、実施高、収支を演算処理手段６にて演算し、出来高表等の出力データを作成する過程と、日々の出来高、実施高及び演算された日々の収支並びに累計された出来高、実施高、収支を含む出力データを表示手段７に又は印刷手段８にて可視的に出力する過程とを含むものである。【選択図】図２
2005032186.tif 000002
【特許請求の範囲】
【請求項１】
建設工事、土木工事等の各種工事に関連する日々の出来高、実施高を入力する過程と、
入力された日々の出来高、実施高を基に日々の収支及び工事開始からの累計された出来高、実施高、収支を演算し出力データを作成する過程と、
日々の出来高、実施高及び演算された日々の収支並びに累計された出来高、実施高、収支を含む出力データを可視的に出力する過程と、
を含むことを特徴とする工事原価管理システム。
【請求項２】
建設工事、土木工事等の各種工事に関連する日々の出来高、実施高を入力する過程と、
入力された日々の出来高、実施高を基に日々の収支及び工事開始からの累計された出来高、実施高、収支を演算する過程と、
日々の出来高、実施高及び演算された日々の収支並びに累計された出来高、実施高、収支を含む出力データを、それぞれフォーマットされた収支内訳書、収支総括表、出来高表、工事原価グラフに関連付けた出力データとして作成する過程と、
日々の出来高、実施高及び演算された日々の収支並びに累計された出来高、実施高、収支を含む出力データを可視的に出力する過程と、
を含むことを特徴とする工事原価管理システム。
【請求項３】
建設工事、土木工事等の各種工事に関連する日々の出来高、実施高を入力する過程と、
入力された日々の出来高、実施高を基に日々の収支及び工事開始からの累計された出来高、実施高、収支を演算する過程と、
日々の出来高、実施高及び演算された日々の収支並びに累計された出来高、実施高、収支を含む出力データを、それぞれフォーマットされた収支内訳書、収支総括表、出来高表、工事原価グラフに関連付けた出力データとして作成する過程と、
日々の出来高、実施高及び演算された日々の収支並びに累計された出来高、実施高、収支を含む出力データを可視的に出力する過程と、
可視的に出力する出力データを集計処理し、例えば本社の管理部門に文書通信又はメール通信にて送信する過程と、
を含むことを特徴とする工事原価管理システム。
【請求項４】
原価管理プログラムを記憶したプログラム記憶手段と、
建設工事、土木工事等の各種の工事原価管理に関する工種分けした予算、数量、単価、間接費、外注関連費、各種出力フォーマット、入力データ、演算データを記憶する記憶手段と、
原価管理プログラムに基づき工事に関連する日々の出来高、実施高を含むデータ入力を行う入力手段と、
原価管理プログラムに基づき工事原価管理に関連する入力データ、演算データを参照して対応する出力フォーマットに関連付けて日々の及び累積された出来高、実施高及び収支を含む出力データの演算、作成、更新を行う演算処理手段と、
出力データの表示を行う表示手段と、
出力データの印刷を行う印刷手段と、
を有することを特徴とする工事原価管理装置。
【請求項５】
前記工事原価管理装置は、工事現場における端末装置として構成され、通信手段を介して本社コンピュータ装置と接続されていることを特徴とする請求項４記載の工事原価管理装置。
【請求項６】
原価管理プログラムを記憶したプログラム記憶手段と、
建設工事、土木工事等の各種の工事原価管理に関する工種分けした予算、数量、単価、間接費、外注関連費、各種出力フォーマット、入力データ、演算データを記憶する記憶手段と、
原価管理プログラムに基づき工事に関連する日々の出来高、実施高を含むデータ入力を行う入力手段と、
原価管理プログラムに基づき工事原価管理に関連する入力データ、演算データを参照して対応する出力フォーマットに関連付けて日々の及び累積された出来高、実施高及び収支を含む出力データの演算、作成、更新を行う演算処理手段と、
出力データの表示を行う表示手段と、
出力データの印刷を行う印刷手段と、
集計処理する出力データを、例えば本社の管理部門に文書通信又はメール通信にて送信する過程と、
を有することを特徴とする請求項４記載の工事原価管理装置。
【請求項７】
建設工事、土木工事等の各種の工事原価管理に関する工種分けした予算、数量、単価、間接費、外注関連費、各種出力フォーマット、入力データ、演算データを記憶させる記憶処理と、
建設工事、土木工事等の各種の工事に関連する日々の出来高、実施高を含むデータ入力を画面にて促す処理と、
工事原価管理に関連する入力データ、演算データを参照して対応する出力フォーマットに関連付けて日々の及び累積された出来高、実施高及び収支を含む出力データの演算、作成、更新を行う処理と、
出力データを可視的に出力させる処理と、
を含む原価管理プログラムを記憶したことを特徴とする記憶媒体。
【発明の詳細な説明】
【技術分野】
【０００１】
本発明は、建設工事、土木工事等々の現場に適用して好適な工事原価管理システム、工事原価管理装置及び原価管理プログラムの記憶媒体に関するものである。
【背景技術】
【０００２】
従来、各種建設工事、土木工事等を実行する現場においては、日々の工事実行に伴う原価管理が重要な事項となっている。
【０００３】
このような原価管理を行う従来例として、例えば特許文献１の土木工事原価管理装置が提案されている。
特許文献１の土木工事原価管理装置は、入力装置から予定の工事量に対してどれだけ工事が完了したかという割合を資源使用量の予算に対する比率で入力するか又は使用した資源の数量を入力し、予算と実績に基づき進捗率を計算し原価管理表を作成するようにしたものである。
【０００４】
しかしながら、上述した従来の土木工事原価管理装置の場合、資源使用量の把握や進捗率の把握は明確になるものの、毎日の工事実行に伴う実際の日々の数字的な把握の点又は累積した収支の数字的な把握の点で不十分である。
また、月毎の出来高に基づいて原価管理を行うものも知られているが、月単位に基づく原価管理の場合、原価割れの工事の対策が手遅れになってしまうという問題がある。
【特許文献１】特開平１１−１６１７１２号公報
【発明の開示】
【発明が解決しようとする課題】
【０００５】
本発明は、上述した従来の実情に鑑み開発されたものであり、出来高、実施高を日々入力することで、即座に日毎及び累積した収支内容を明確に把握できる工事原価管理システム、工事原価管理装置を提供すること、及びかかる工事原価管理システム、工事原価管理装置を実現するための原価管理プログラムを記憶した記憶媒体を提供することを目的とするものである。
【課題を解決するための手段】
【０００６】
請求項１記載の発明の工事原価管理システムは、建設工事、土木工事等の各種の工事に関連する日々の出来高、実施高を入力する過程と、入力された日々の出来高、実施高を基に日々の収支及び工事開始からの累計された出来高、実施高、収支を演算し出力データを作成する過程と、日々の出来高、実施高及び演算された日々の収支並びに累計された出来高、実施高、収支を含む出力データを可視的に出力する過程とを含むことを特徴とするものである。
【０００７】
請求項２記載の発明の工事原価管理システムは、建設工事、土木工事等の各種の工事に関連する日々の出来高、実施高を入力する過程と、入力された日々の出来高、実施高を基に日々の収支及び工事開始からの累計された出来高、実施高、収支を演算する過程と、日々の出来高、実施高及び演算された日々の収支並びに累計された出来高、実施高、収支を含む出力データを各々フォーマットされた収支内訳書、収支総括表、出来高表、工事原価グラフに関連付けた出力データとして作成する過程と、日々の出来高、実施高及び演算された日々の収支並びに累計された出来高、実施高、収支を含む出力データを可視的に出力する過程とを含むことを特徴とするものである。
【０００８】
請求項３記載の発明の工事原価管理システムは、建設工事、土木工事等の各種工事に関連する日々の出来高、実施高を入力する過程と、入力された日々の出来高、実施高を基に日々の収支及び工事開始からの累計された出来高、実施高、収支を演算する過程と、日々の出来高、実施高及び演算された日々の収支並びに累計された出来高、実施高、収支を含む出力データを、それぞれフォーマットされた収支内訳書、収支総括表、出来高表、工事原価グラフに関連付けた出力データとして作成する過程と、日々の出来高、実施高及び演算された日々の収支並びに累計された出来高、実施高、収支を含む出力データを可視的に出力する過程と、可視的に出力する出力データを集計処理し、例えば本社の管理部門に文書通信又はメール通信にて送信する過程とを含むことを特徴とするものである。
【０００９】
請求項４記載の発明の工事原価管理装置は、原価管理プログラムを記憶したプログラム記憶手段と、建設工事、土木工事等の各種の工事原価管理に関する工種分けした予算、数量、単価、間接費、外注関連費、各種出力フォーマット、入力データ、演算データを記憶する記憶手段と、原価管理プログラムに基づき工事に関連する日々の出来高、実施高を含むデータ入力を行う入力手段と、原価管理プログラムに基づき工事原価管理に関連する入力データ、演算データを参照して対応する出力フォーマットに関連付けて日々の及び累積された出来高、実施高及び収支を含む出力データの演算、作成、更新を行う演算処理手段と、出力データの表示を行う表示手段と、出力データの印刷を行う印刷手段とを有することを特徴とするものである。
【００１０】
本発明の原価管理システム、原価管理装置によれば、出来高、実施高の日々の入力処理によって、工事現場において出力フォーマットに対応した収支内訳書、原価グラフ、出来高表等が作成、表示されるので、特に日々の又は累積した出来高、実施高、収支の把握が極めて容易となり、原価割れの工事に対する対策の実施、工事の原価管理に基づく進捗状況の把握、予算との関係等収支決算に必要な事項の把握を的確に行うことが可能となる。
【００１１】
請求項５記載の発明は、請求項４記載の工事原価管理装置において、前記工事原価管理装置は、工事現場における端末装置として構成され、通信手段を介して本社コンピュータ装置と接続されていることを特徴とするものである。
【００１２】
この発明によれば、建設工事、土木工事等の各種の工事現場においては勿論のこと、施工会社の本社コンピュータ装置１２においても日々の出来高、実施高、収支等の把握を迅速、的確に行うことができ、当該施工工事等の全体の適正な完成を図ることができる。
【００１３】
請求項６記載の発明は、請求項４記載の工事原価管理装置において、原価管理プログラムを記憶したプログラム記憶手段と、建設工事、土木工事等の各種の工事原価管理に関する工種分けした予算、数量、単価、間接費、外注関連費、各種出力フォーマット、入力データ、演算データを記憶する記憶手段と、原価管理プログラムに基づき工事に関連する日々の出来高、実施高を含むデータ入力を行う入力手段と、原価管理プログラムに基づき工事原価管理に関連する入力データ、演算データを参照して対応する出力フォーマットに関連付けて日々の及び累積された出来高、実施高及び収支を含む出力データの演算、作成、更新を行う演算処理手段と、出力データの表示を行う表示手段と、出力データの印刷を行う印刷手段と、集計処理する出力データを、例えば本社の管理部門に文書通信又はメール通信にて送信する過程とを有することを特徴とするものである。
【００１４】
この発明によれば、集計処理する出力データを、例えば本社の管理部門に文書通信又はメール通信にて送信し、前記請求項４記載の発明の作用を実現できる。
【００１５】
請求項７記載の発明の記憶媒体は、建設工事、土木工事等の各種の工事原価管理に関する工種分けした予算、数量、単価、間接費、外注関連費、各種出力フォーマット、入力データ、演算データを記憶させる記憶処理と、工事に関連する日々の出来高、実施高を含むデータ入力を画面にて促す処理と、工事原価管理に関連する入力データ、演算データを参照して対応する出力フォーマットに関連付けて日々の及び累積された出来高、実施高及び収支を含む出力データの演算、作成、更新を行う処理と、出力データを可視的に出力させる処理とを含む原価管理プログラムを記憶したことを特徴とするものである。
【００１６】
この発明によれば、一連のソフトウェア処理にて既述したような実用的な原価管理システム、原価管理装置を実現する原価管理プログラムを記憶した記憶媒体を提供できる。
【発明の効果】
【００１７】
本発明によれば、出来高、実施高の日々の入力処理によって、工事現場において日々の又は累積した出来高、実施高、収支の把握が極めて容易となり、原価割れの工事に対する対策の実施、工事の原価管理に基づく進捗状況の把握、予算との関係等収支決算に必要な事項の把握を的確に行うことができる原価管理システム及び原価管理装置を提供できる。
【００１８】
また、工事現場においては勿論のこと、施工会社の本社コンピュータ装置においても日々の出来高、実施高、収支等の把握を迅速に行うことができる原価管理装置を提供できる。
【００１９】
更に、出力データを集計処理し或いは集計処理する出力データを、例えば本社の管理部門に文書通信（例えばファクシミリ）又はメール通信にて送信するようにした原価管理システム及び原価管理装置を提供できる。
【００２０】
更にまた、このような実用的な原価管理システム、原価管理装置を汎用性良く実現する原価管理プログラムを記憶した記憶媒体を提供できる。
【発明を実施するための最良の形態】
【００２１】
以下、本発明の実施の形態を詳細に説明する。
図１は、本発明の実施の形態に係る工事原価管理システムを実現する工事原価管理装置１を示すものである。
【００２２】
この工事原価管理装置１は、詳細は後述する原価管理プログラムを記憶したプログラム記憶手段２と、工事原価管理に関する工種分けした予算、数量、単価、間接費、外注関連費、各種出力フォーマット、入力データ、演算データを記憶する記憶手段３と、原価管理プログラムに基づき工事に関連する日々の出来高、実施高を含むデータ入力を行うキーボード等の入力手段４と、入力項目の選択等を行うマウスのような選択手段５と、原価管理プログラムに基づき工事原価管理に関連する入力データ、演算データを参照して対応する出力フォーマットに関連付けて日々の及び累積された出来高、実施高及び収支を含む出力データの演算、作成、更新を行う演算処理手段６と、出力データの表示を行う液晶ディスプレイのような表示手段７と、出力データの印刷を行う印刷手段８と、これら各要素を各々制御する制御手段１０とを有している。
【００２３】
そして、前記工事原価管理装置１を、工事現場における端末装置として構成し、通信インターフェース９、ＬＡＮ、インターネット等の通信回線１１を介して本社コンピュータ装置１２と接続する構成とすることもできる。
【００２４】
次に、本実施の形態に係る原価管理プログラムに基づいて運用される工事原価管理システム全体の処理の流れについて図２を参照して説明する。
原価管理プログラムは、工事原価管理に関する工種分けした予算、数量、単価、間接費、外注関連費、各種出力フォーマット、入力データ、演算データを記憶させる記憶処理と、工事に関連する日々の出来高、実施高を含むデータ入力を画面にて促す処理と、工事原価管理に関連する入力データ、演算データを参照して対応する出力フォーマットに関連付けて日々の及び累積された出来高、実施高及び収支を含む出力データの演算、作成、更新を行う処理と、出力データを可視的に出力させる処理とを含む内容となっている。
【００２５】
そして、この原価管理プログラムをＣＤ−ＲＯＭ、ＤＶＤ−ＲＯＭ等の記憶媒体にコンピュータ読み取り可能に記憶し、既存のコンピュータにインストールすることで、汎用性のある工事原価管理システム、工事原価管理装置を構築できる。
【００２６】
本実施の形態に係る工事原価管理システムは、図２に示すように、前記原価管理プログラムに基づき、操作者の選択操作、入力操作によって、トップメニューから個別メニューに進み、工事に関連する日々の出来高、実施高を入力し、入力された日々の出来高、実施高を基に日々の収支及び工事開始からの累計された出来高、実施高、収支を演算し、日々の出来高、実施高及び演算された日々の収支並びに累計された出来高、実施高、収支を含む出力データを各々フォーマットされた収支内訳書、収支総括表、出来高表、工事原価グラフに関連（リンク）付けた出力データとして作成し、これら日々の出来高、実施高及び演算された日々の収支並びに累計された出来高、実施高、収支、更には予算等を含む出力データを可視的に出力するようにしたものである。
【００２７】
図３は工事原価管理システムにおける前記表示手段８の画面に表示される原価管理プログラムに基づいたトップメニューを示すものであり、このトップメニューにおいては、工事コード、現場名略称、発注者、担当者の各既定事項が表示されるとともに、工種別入力メニューとして工種別メニュー、入力実行メニューとして総括表、工事原価グラフ、出来高表が表示され、また、マスターメニューとして工事概要、単価表、工程一覧表、社員給料、保存、保存・終了の各項目が前記選択手段５にて選択可能に表示される。その他、初期設定、初期設定解除の項目が選択可能に表示される。
【００２８】
ここで、操作者がトップメニューにおいて総括表の項目を選択すると（図４：ステップＳ１）、画面表示は図５に示す総括表となる。
【００２９】
この総括表においては、図５に示すように、メニュー、収支総括表の各項目が前記選択手段５にて選択可能に表示される。更に、仮設鋼材等として仮設鋼材、残土搬入・搬出の各項目、雑類等として雑機械等、雑金物等、雑材料等、燃料費等の各項目、間接費等として派遣社員給料、現場間接費、間接費（本社）、仮払い、社員給料の各項目が前記選択手段５にて選択可能に表示される。この他、設計変更、累計の各欄が表示される。
【００３０】
ここで、操作者が図５に示す総括表において収支総括表の項目を選択すると（図４：ステップＳ２）、画面表示は図６に示す収支総括表となる（図４：ステップＳ３）。
【００３１】
この収支総括表においては、図６に示すように、工種、数量、単位、単価、予算金額、累計出来高、累計出来高率、出来高金額、実施金額、収支、収支率、予算収支率、備考の各欄が含まれ、これらに該当する工種別の数値が各々表示される。
【００３２】
工種としては、例えば、掘削工・撤去工、雑工、鋼矢板打設・基礎杭工、仮設工（１）、仮設工（２）、アンカー工、地盤改良工、躯体工、保安工、更には変更工事、仮設費、間接費、社員給料、合計の各種別項目が含まれる。
【００３３】
以上の総括表処理により、例えば図６に示すように、夫々の工種毎に出来高と実施金額と収支とを直ちに把握でき、また、全体の予算額に対する出来高、実施金額、収支を直ちに把握できる。
【００３４】
次に、図７乃至図１２を参照して工種別の処理について説明する。
操作者が前記トップメニューにおいて工種別メニューの項目を選択すると、画面表示は図８に示す工種別メニューとなる（図７：ステップＳ１１）。
【００３５】
工種別メニューとしては、掘削工・撤去工、雑工、鋼矢板打設・基礎杭工、仮設工（１）、仮設工（２）、アンカー工、地盤改良工、躯体工、保安工、変更工事、仮設費、間接費、社員給料、工程表休日設定の各項目が選択可能に表示される。
【００３６】
次に、操作者が前記工種別メニューにおいて掘削工・撤去工を選択すると、画面表示は図９に示す工種名掘削工・撤去工の画面となる（図７：ステップＳ１２）。この工種名掘削工・撤去工の画面においては、原価管理、工事工程表、保存、保存終了、初期設定、初期設定解除の各項目が選択可能に表示される。
【００３７】
ここで操作者が原価管理の項目を選択すると、画面表示は図１０に示す原価管理となる（図７：ステップＳ１３）。
【００３８】
図１０の原価管理の画面では、メニュー、収支内訳書へ、日々管理へ、印刷プレビュー、収支明細書Ａ３印刷の各項目が選択可能に表示され、更に、路線、立杭、工期、進捗率、開始年月日、項目構成配分率、累計の各欄が表示される。
【００３９】
そして、操作者が前記原価管理の画面において日々管理への項目を選択すると、画面表示は図１１の工種・名称別の日々入力画面となる（図７：ステップＳ１４）。
【００４０】
工種・名称別の日々入力画面においては、計画数量、実施累計数量、単位、延日数、月日曜日の各欄について、舗装撤去工、構造物撤去、有筋等の工種、土工、職長等の労務費、残土運搬費、残土処分等の外注費、バックホウ等の雑機械の各種別毎に日々の出来高、実施高（実施数量）が入力可能となっている。
【００４１】
図１２は上述した工種別の処理（掘削工・撤去工の処理）の結果、前記原価管理プログラムに基づいて入力データに関連（リンク）付けて演算、作成され、表示（図７：ステップＳ１５）される掘削工・撤去工に関する収支内訳書を示すものであり、例えば構造物撤去工に関して、収支が１１０万円以上の赤字で有ることを直ちに把握できる。
【００４２】
また、上述した工種別の処理を個々の工種別に実行することで図１３に示す収支総括表（図６に示すものと同様）が個々の入力データに関連（リンク）付けて演算、作成され、表示される（図７：ステップＳ１６）。この収支総括表によれば、個々の工種別の出来高、実施高、収支等を直ちに把握できる。
【００４３】
図１４は前記原価管理プログラムに基づいて既述したような入力データに関連（リンク）付けて演算、作成され、表示される折れ線グラフ形式で日別の原価グラフを示すものであり、この原価グラフによれば、累計出来高、累計実施高の日別の推移を直ちに、且つ、明確に把握できる。
【００４４】
図１５は前記原価管理プログラムに基づいて既述したような入力データに関連（リンク）付けて演算、作成され、表示される日別の出来高表を示すものであり、累積出来高率、本日出来高金額、累計出来高金額、本日実施金額、累計実施金額、本日収支、累計収支、累計収支率等が日別加算形式で表示される。
【００４５】
この出来高表によれば、日別の及び累計した収支の把握が極めて明確に行うことができる。
【００４６】
上述した収支内訳書、原価グラフ、出来高表等は印刷手段８により印刷出力することも勿論可能である。
【００４７】
本実施の形態に係る原価管理システム、原価管理装置１によれば、出来高、実施高の日々の入力処理によって、工事現場において前記収支内訳書、原価グラフ、出来高表等が作成、表示されるので、特に日々の又は累積した出来高、実施高、収支の把握が極めて容易となり、原価割れの工事に対する対策の実施、工事の原価管理に基づく進捗状況の把握、予算との関係、更には外注費の管理等収支決算に必要な事項の把握を的確に行うことができる。
【００４８】
また、このような実用的な原価管理システム、原価管理装置１を既存のコンピュータを利用して実現する事が可能な原価管理プログラムを記憶した記憶媒体を提供できる。
【００４９】
更にまた、前記工事原価管理装置１を、工事現場における端末装置として構成し、通信インターフェース９、通信回線１１を介して本社コンピュータ装置１２と接続する構成とし、前記収支内訳書、原価グラフ、出来高表等の出力データを本社コンピュータ装置１２で受信することにより、工事現場においては勿論のこと、施工会社の本社コンピュータ装置１２においても日々の出来高、実施高、収支等の把握を迅速、的確に行うことができ、当該施工工事等の全体の適正な完成を図ることができる。
【００５０】
なお、図１６は、本発明の実施の形態に係る工事原価管理装置の図１の構成の変形を示すブロック図である。
図１６が図１と異なるところは、図１において説明した可視的に出力する出力データを集計処理し例えば本社の管理部門に文書通信（例えばファクシミリ）又はメール通信にて送信する過程を具備した点である。その他の点では、図１６と図１は同じ構成であり、前記図１で説明したのと同じである。
【００５１】
すなわち、建設工事、土木工事等の各種工事に関連する日々の出来高、実施高を入力する過程と、入力された日々の出来高、実施高を基に日々の収支及び工事開始からの累計された出来高、実施高、収支を演算する過程と、日々の出来高、実施高及び演算された日々の収支並びに累計された出来高、実施高、収支を含む出力データを、それぞれフォーマットされた収支内訳書、収支総括表、出来高表、工事原価グラフに関連付けた出力データとして作成する過程と、日々の出来高、実施高及び演算された日々の収支並びに累計された出来高、実施高、収支を含む出力データを可視的に出力する過程と、可視的に出力する出力データを集計処理し、例えば本社の管理部門に文書通信又はメール通信にて送信する過程とを含む工事原価管理システムを実現できる。
したがって、図１６に示す構成によれば、可視的に出力する出力データを集計処理し、例えば本社の管理部門に文書通信（例えばファクシミリ）又はメール通信にて送信しながら前記工事原価管理システムを実現できる。
【００５２】
更に、原価管理プログラムを記憶したプログラム記憶手段と、建設工事、土木工事等の各種の工事原価管理に関する工種分けした予算、数量、単価、間接費、外注関連費、各種出力フォーマット、入力データ、演算データを記憶する記憶手段と、原価管理プログラムに基づき工事に関連する日々の出来高、実施高を含むデータ入力を行う入力手段と、原価管理プログラムに基づき工事原価管理に関連する入力データ、演算データを参照して対応する出力フォーマットに関連付けて日々の及び累積された出来高、実施高及び収支を含む出力データの演算、作成、更新を行う演算処理手段と、出力データの表示を行う表示手段と、出力データの印刷を行う印刷手段と、集計処理する出力データを、例えば本社の管理部門に文書通信又はメール通信にて送信する過程とを有する工事原価管理装置を実現できる。
したがって、図１６に示す構成によれば、集計処理する出力データを、例えば本社の管理部門に文書通信（例えばファクシミリ）又はメール通信にて送信しながら前記工事原価管理装置を実現できる。
【図面の簡単な説明】
【００５３】
【図１】本発明の実施の形態に係る工事原価管理装置の構成を示すブロック図である。
【図２】本実施の形態に係る工事原価管システムの処理の流れを示す説明図である。
【図３】本実施の形態に係る工事原価管理システムにおける表示手段の画面に表示されるトップメニューを示す説明図である。
【図４】本実施の形態に係る工事原価管理システムにおける総括表処理の流れを示すフローチャートである。
【図５】本実施の形態に係る工事原価管理システムにおける表示手段の画面に表示される総括表を示す説明図である。
【図６】本実施の形態に係る工事原価管理システムにおける表示手段の画面に表示される収支総括表を示す説明図である。
【図７】本実施の形態に係る工事原価管理システムにおける工種別処理の流れを示すフローチャートである。
【図８】本実施の形態に係る工事原価管理システムにおける表示手段の画面に表示される工種別メニューを示す説明図である。
【図９】本実施の形態に係る工事原価管理システムにおける表示手段の画面に表示される工種名掘削・撤去工のメニュー内容を示す説明図である。
【図１０】本実施の形態に係る工事原価管理システムにおける表示手段の画面に表示される掘削・撤去工に関する原価管理のメニュー内容を示す説明図である。
【図１１】本実施の形態に係る工事原価管理システムにおける表示手段の画面に表示される掘削・撤去工に関する日々入力画面を示す説明図である。
【図１２】本実施の形態に係る工事原価管理システムにおける表示手段の画面に表示される掘削・撤去工に関する収支内訳書を示す説明図である。
【図１３】本実施の形態に係る工事原価管理システムにおける表示手段の画面に表示される収支総括表を示す説明図である。
【図１４】本実施の形態に係る工事原価管理システムにおける表示手段の画面に表示される原価グラフを示す図である。
【図１５】本実施の形態に係る工事原価管理システムにおける表示手段の画面に表示される出来高表を示す説明図である。
【図１６】本発明の実施の形態に係る工事原価管理装置の図１の構成の変形を示すブロック図である。
【符号の説明】
【００５４】
１  工事原価管理装置
２  プログラム記憶手段
３  記憶手段
４  入力手段
５  選択手段
６  演算処理手段
７  表示手段
８  印刷手段
９  通信インターフェース
１０  制御手段
１１  通信回線
１２  本社コンピュータ装置
【図１】
2005032186.tif 000003
【図２】
2005032186.tif 000004
【図４】
2005032186.tif 000005
【図７】
2005032186.tif 000006
【図１６】
2005032186.tif 000007
【図３】
2005032186.tif 000008
【図５】
2005032186.tif 000009
【図６】
2005032186.tif 000010
【図８】
2005032186.tif 000011
【図９】
2005032186.tif 000012
【図１０】
2005032186.tif 000013
【図１１】
2005032186.tif 000014
【図１２】
2005032186.tif 000015
【図１３】
2005032186.tif 000016
【図１４】
2005032186.tif 000017
【図１５】
2005032186.tif 000018